(57)【要約】【課題】種々様々な形式の導電体の接続を、簡単な僅かな構成部分で工具なしに行うことができる簡単な接続コンタクトを形成する。【解決手段】導電体のための接続コンタクトであって、絶縁ケーシング１内に位置しており、該絶縁ケーシングは、個々の室１１内に配置された電気的なコンタクトを備えていて、該電気的なコンタクトは、逆鉤状に屈曲されたコンタクト領域４１を有した導体レール４から成っており、前記コンタクト領域４１は、軸方向でスライドエレメント２に結合されたクランプスリーブ３によって取り囲まれており、スライドエレメント２は、絶縁ケーシング１の個々の室１１にそれぞれ配置される導電体を導入するための貫通孔２１を有しており、スライドエレメント２が、導体レール４のコンタクト領域上に被せ嵌め可能であって、これにより、コンタクト領域とクランプスリーブとの間に導入された導電体に固定力が作用する。【選択図】図１
2008041667.tif 000002
【特許請求の範囲】
【請求項１】
導電体のための接続コンタクトであって、絶縁ケーシング（１）内に位置しており、該絶縁ケーシングは、個々の室（１１）内に配置された電気的なコンタクトを備えている形式のものにおいて、
該電気的なコンタクトは、差し込み方向とは逆の逆鉤状に屈曲されたコンタクト領域（４１）を有した導体レール（４）から成っており、前記コンタクト領域（４１）はクランプスリーブ（３）によって取り囲まれており、該クランプスリーブは軸方向でスライドエレメント（２）に結合されていて、該スライドエレメント（２）は、絶縁ケーシング（１）の個々の室（１１）にそれぞれ配置される導電体を導入するための貫通孔（２１）を有しており、スライドエレメントが、導体レールのコンタクト領域上に被せ嵌め可能であって、再び引き抜き可能であって、これにより、コンタクト領域とクランプスリーブとの間に導入された導電体に固定力が作用することを特徴とする、導電体のための接続コンタクト。
【請求項２】
方形状に成形されたクランプスリーブ（３）がメアンダ状の長手方向スリット（３１）を有しており、一方の開かれた端部には屈曲された多重にスリットを入れられた保持リング（３２）を、他方の開かれた端部には漏斗状の拡大部（３３）を有している、請求項１記載の接続コンタクト。
【請求項３】
方形状に成形されたクランプスリーブ（３）が、少なくとも所定の領域で、ほぼ対角線状に延びる長手方向スリット（３１′）を有しており、一方の開かれた端部には、屈曲された多重にスリットを入れられた保持リング（３２）を、他方の開かれた端部には漏斗状の拡大部（３３）を有している、請求項１記載の接続コンタクト。
【請求項４】
スライドエレメント（２）に、クランプスリーブ（３）の保持リング（３２）を受容するためのフォーク状の保持部（２３）が設けられている、請求項１記載の接続コンタクト。
【請求項５】
摺動可能なスライドエレメント（２）が、切欠（２４）に係合する工具によって絶縁ケーシング（１）から取り出し可能である、請求項４記載の接続コンタクト。
【請求項６】
導体レール（４）に、プリント配線板のための接続端部（４３）が設けられている、請求項１記載の接続コンタクト。
【請求項７】
導体レール（４）の接続端部（４３）が、ピンコネクタ又はブシュコネクタとのコンタクトのために形成されている、請求項６記載の接続コンタクト。
【発明の詳細な説明】
【技術分野】
【０００１】
本発明は、導電体のための接続コンタクトであって、絶縁ケーシング内に位置しており、該絶縁ケーシングは、個々の室内に配置された電気的なコンタクトを備えている形式のものに関する。
【０００２】
このような形式の接続コンタクトは特に、リッツ線として形成されている導電体で必要とされる。
【背景技術】
【０００３】
ドイツ連邦共和国特許第１０１４５３２４号明細書により、リッツ線のコンタクトのための電気的な接続エレメントが公知であり、その接続端部は、鋸歯状の構造を有しており、この鋸歯状の構造には、楔によって拡開されるばねスリーブを被せ嵌め可能である。
【特許文献１】ドイツ連邦共和国特許第１０１４５３２４号明細書
【発明の開示】
【発明が解決しようとする課題】
【０００４】
本発明の課題は、種々様々な形式の導電体の接続を、簡単な僅かな構成部分で工具なしに行うことができる簡単な接続コンタクトを形成することであり、この場合、コンタクトすべきワイヤ横断面に関してできるだけ大きな領域が把持される。
【課題を解決するための手段】
【０００５】
この課題を解決するために本発明の構成では、電気的なコンタクトが、差し込み方向とは逆の逆鉤状に屈曲されたコンタクト領域を有した導体レールから成っており、前記コンタクト領域はクランプスリーブによって取り囲まれており、該クランプスリーブは軸方向でスライドエレメントに結合されていて、該スライドエレメントは、絶縁ケーシングの個々の室にそれぞれ配置される導電体を導入するための貫通孔を有しており、スライドエレメントが、導体レールのコンタクト領域上に被せ嵌め可能であって、再び引き抜き可能であって、これにより、コンタクト領域とクランプスリーブとの間に導入された導電体に固定力が作用するようにした。
【０００６】
本発明の有利な構成は、請求項２〜７に記載されている。
【発明の効果】
【０００７】
本発明により得られる利点は特に、単系または複系の導電体のために工具を要さない接続システムが提供され、この接続システムでは導電体はばね弾性的なスリーブによって電気的なコンタクトの接続領域に位置固定可能である。このために差し込みケーシングには複数の室が配置されていて、この室内には、リッツ線のためのそれぞれ１つのクランプ装置が設けられている。クランプ装置は、軸方向で摺動可能なスライドエレメントから成る、導電体のための接続装置として形成され、クランプスリーブと共に、この場合、逆鉤状の形状を有している電気的なコンタクトエレメントの接続領域に被せ嵌め可能である。この場合、個々の素線の回動または屈曲を、ストッパ点に達するまでできるだけ防止するために、特にリッツ線のためには、コンタクト領域へのリッツ線の導入を力をかけずに行うことが前提となっている。
【０００８】
この場合、組み付けの際に、リッツ線の絶縁体が除去された部分が、スライドエレメントに固定されたクランプスリーブを含む、スライドエレメントを貫通する孔に導入される。スライドエレメントは差し込み方向で、リッツ線とともに軸方向でケーシング内に摺動される。
【０００９】
この場合、溝内で摩擦を生ぜしめながら滑動するガイド楔のような、室およびスライドエレメントにおける相応に構造的な手段が、コンタクトエレメントの方向でのスライドエレメントの意図しない滑動を防止する。
【００１０】
スライドエレメントの終端位置に近づくにつれ、ばね弾性的に形成されたクランプスリーブが、導電体を有した逆鈎状のコンタクト領域または接続領域上をスライドする。この場合、有利にはメアンダ状の一貫した長手方向スリットが設けられたクランプスリーブにより、常に、種々様々な形式の導電体の数とサイズに適合した締め付け力が接続領域にかけられることが保証される。
【００１１】
細い扁平なもの、例えばねじ回しを、スライドエレメントにおける切欠に達する、各室の外面に設けられた傾斜部に挿入することにより、各スライドエレメントを再び各室から外すことができ、これにより導電体を再び解放することができる。
【００１２】
絶縁ケーシングは、相応に形成された電気的なコンタクトによって、差し込みコネクタのためのモノブロックとして、または直列端子のためのセグメント技術において形成することができる。さらに、モノブロックでは、簡単に製造される導体レールがブシュ又はピンコネクタに接続され、これにより、このように形成されたコンタクト領域または接続領域とともに差し込みコネクタが形成されている。
【発明を実施するための最良の形態】
【００１３】
次に本発明の実施例を図面につき詳しく説明する。
【００１４】
図１には絶縁ケーシング１の断面図が示されている。この絶縁ケーシング１内には摺動可能なスライドエレメント２が配置されていて、スライドエレメント２はこれに結合されたクランプスリーブ３を室１１内に有している。さらに絶縁ケーシング１には導体レール４が設けられていて、導体レール４のコンタクト領域４１は逆鉤の形状を有している。この場合、導体レール４は絶縁ケーシング１内に、摺動可能なクランプスリーブ３が常にコンタクト領域４１を取り囲んでいるように配置されている。この場合、スライドエレメント２が絶縁ケーシング１から最も突出する、開かれた組み付け状態では、逆鉤端部４２が、ほぼ漏斗状の拡大部３３と同じライン上に位置しているので、スライドエレメント２の貫通孔２１を通って案内されるリッツ線を殆ど無力で導入するための最大のスリット開口が生じる。スライドエレメント２を絶縁ケーシングに押し込む際に、個々のリッツ線はますますクランプスリーブ３の壁に押し付けられ、クランプ肩部を成す逆鉤端部４２に固定される。このことは単系の導電体を使用する場合にも当てはまる。
【００１５】
スライドエレメント２は原則的に方形体として成形されていて、内側に向かって減径する漏斗状出口２２を有した貫通孔２１を備えている。
【００１６】
絶縁ケーシング１内に押し込まれたスライドエレメント２を、例えばねじ回しによって外すために、絶縁ケーシング１のこの図で見て上方の領域には傾斜部１２が、スライドエレメント２にはこれに適合する楔状の切欠２４が設けられている。楔状の切欠２４の下側にはスライドガイドが設けられていて、このガイドは、スライドエレメント２における縦長の楔２５と、絶縁ケーシング１におけるガイド溝１４とから形成されている。この場合、ガイド溝１４は、絶縁ケーシングの上方の領域で、突出部１３で終わっていて、この突出部１３にはスライドエレメント２の突出した楔端部２６が当接し、絶縁ケーシング１からスライドエレメント２が突出したり、最終的に滑脱したりするのを防止する。クランプスリーブ３は外方に向かって直角に屈曲された保持リング３２で保持溝２３に保持されている。これにより漏斗状出口２２の中心が、その下に配置された、クランプスリーブ３の、この図で右の壁に向かう逆鉤状のコンタクト領域４１のほぼ真ん中に位置するようになっている。
【００１７】
図２には、既に図１に断面図で示した絶縁ケーシング１がスライドエレメント２、クランプスリーブ３、導体レール４とともに、斜視断面図で示されている。内側の背壁には、既に説明したガイド溝１４が見えていて、このガイド溝１４でスライドガイド楔２５がガイドされている。
【００１８】
図３のクランプスリーブ３は、ばね弾性的な方形のクランプスリーブとして製造されていて、メアンダ状のスリット３１をスリーブ壁に沿って有している。これにより、逆鉤端部４２とスリーブ壁との間のスリットに導入される種々様々な形式の導電体により拡開される際、スライドエレメントが絶縁ケーシング１の室１１に沈み込む際に、ばね弾性的な作用が保証されている。
【００１９】
この場合、一方の端部側には、外方に向かって屈曲され、分離スリット３４によって中断された多重の保持縁部３２が設けられていて、反対側には漏斗状の拡大部３３が設けられている。
【００２０】
クランプスリーブ３の変化実施例が図４に示されている。この図では、スリット３１′がクランプスリーブの真ん中の領域でほぼ対角線状の延びを有している。
【００２１】
両図に示した導体レール４にはそれぞれ、プリント配線板接続端部４３が設けられており、従って、屈曲された形状でも絶縁ケーシング１によってガイドされる。この場合、両ケーシングは付加的に互いに並べることができる。しかしながら、接続端部はピンコンタクト、ブシュコンタクトとして形成することもでき、もしくはこれに接続することもできる。これにより差し込み可能な構成が考えられる。
【図面の簡単な説明】
【００２２】
【図１】絶縁ケーシングの断面図である。
【図２】絶縁ケーシングの斜視図である。
【図３】クランプスリーブを示した図である。
【図４】別のクランプスリーブを示した図である。
【符号の説明】
【００２３】
１  絶縁ケーシング、  １１  室、  １２  傾斜部、  １３  突出部、  １４  ガイド溝、  ２  スライドエレメント、  ２１  貫通孔、  ２２  漏斗状出口、  ２３  保持溝、  ２４  切欠、  ２５  スライドガイド楔、  ２６  楔端部、  ３  クランプスリーブ、  ３１  スリット、  ３２  保持リング、  ３４  スリット、  ４  導体レール、  ４１  コンタクト領域、  ４２  逆鉤端部、  ４３  プリント配線板接続端部
【図１】
2008041667.tif 000003
【図２】
2008041667.tif 000004
【図３】
2008041667.tif 000005
【図４】
2008041667.tif 000006